(57)【要約】【課題】現在購入者の判断を要することなく、現在購入者に対するレシートを作成するか否かを判定することができる処理装置、及び画像形成システムを提供する。【解決手段】処理装置１００は、撮像部２０と、記憶部５０と、第１判定部７１と、第２判定部７２と、第３判定部７３とを備える。撮像部２０は、レシートの受領場所Ｗを撮像する。記憶部５０は、履歴情報αを記憶する。第１判定部７１は、撮像部２０の撮像する人物が現在購入者であるか否かを判定する。撮像部２０の撮像する人物が現在購入者であると第１判定部７１が判定すると、第２判定部７２は、複数の過去購入者に現在購入者と同一の人物が含まれているか否かを判定する。第３判定部７３は、第２判定部７２の判定結果と、履歴情報αとに基づいて、現在購入者に対するレシートを作成するか否かを判定する。【選択図】図２
2019109678.tif 000002
【特許請求の範囲】
【請求項１】
レシートを作成する作成部と、
前記レシートの受領場所を撮像する撮像部と、
複数の過去購入者の各々が過去に前記レシートの受領場所で前記レシートを取得したか否かを示す履歴情報を記憶する記憶部と、
前記撮像部が撮像している人物の画像に基づいて、前記人物が現在購入者であるか否かを判定する第１判定部と、
前記人物が前記現在購入者であると前記第１判定部が判定すると、前記複数の過去購入者に前記現在購入者と同一の人物が含まれているか否かを判定する第２判定部と、
前記第２判定部の判定結果と、前記履歴情報とに基づいて、前記現在購入者に対する前記レシートを作成するか否かを判定する第３判定部と、
前記作成部を制御する制御部と
を備え、
前記複数の過去購入者の各々は、過去に前記レシートの受領場所で商品を購入したことがある者を示し、
前記現在購入者は、現在、前記レシートの受領場所で商品を購入している者を示す、処理装置。
【請求項２】
前記履歴情報は、前記過去購入者毎に設定される対応情報を含み、
複数の前記対応情報は、第１対応情報〜第Ｎ（Ｎは２以上の整数）対応情報を含み、
前記複数の過去購入者は、第１購入者〜第Ｎ購入者を含み、
第ｎ（ｎは１以上Ｎ以下の整数）対応情報は、第ｎ購入者と、前記第ｎ購入者の受領情報とを対応付けた情報を示し、
前記第ｎ購入者の受領情報は、第ｎ情報を含み、
前記第ｎ情報は、取得情報と、前記取得情報に示す動作が行われた日を示す購入日情報とを含み、
前記取得情報は、前記第ｎ購入者に対する前記レシートが作成されたか否かを示すと共に、前記レシートが作成された場合は前記第ｎ購入者が前記レシートを受領したか否かを示す、請求項１に記載の処理装置。
【請求項３】
前記第ｎ購入者が前記現在購入者と同一の人物であると前記第２判定部が判定すると、前記第３判定部は、前記第ｎ対応情報に基づいて、前記現在購入者である前記第ｎ購入者に対する前記レシートを作成するか否かを判定する、請求項２に記載の処理装置。
【請求項４】
前記第３判定部は、
前記第ｎ対応情報の受領情報が、直近に前記第ｎ購入者に対する前記レシートが受領されておらず、又は、直近に前記第ｎ購入者に対する前記レシートが作成されていなかったことを示す場合、前記第ｎ購入者に対する前記レシートを作成しない旨の判定をし、
前記第ｎ対応情報の受領情報が、直近に前記第ｎ購入者に対する前記レシートが受領されていたことを示す場合、前記第ｎ購入者に対する前記レシートを作成する旨の判定をする、請求項３に記載の処理装置。
【請求項５】
前記複数の過去購入者に前記現在購入者と同一の人物が含まれていないと前記第２判定部が判定すると、前記第３判定部は、前記現在購入者に対する前記レシートを作成する旨の判定をする、請求項２から請求項４のいずれか１項に記載の処理装置。
【請求項６】
前記第３判定部が前記現在購入者に対する前記レシートを作成する旨の判定をすると、前記作成部が前記現在購入者に対する前記レシートを作成するように、前記制御部が前記作成部を制御する、請求項２から請求項５のいずれか１項に記載の処理装置。
【請求項７】
前記複数の過去購入者には、それぞれ、複数の記号が対応付けられ、
前記複数の記号は、第１記号〜第Ｎ記号を含み、
前記第ｎ購入者には、第ｎ記号が対応付けられ、
前記第ｎ記号は、前記第ｎ購入者を特定するための記号を示す、請求項６に記載の処理装置。
【請求項８】
前記第ｎ購入者に対する前記レシートを作成する際、所定のタイミングが到来していると、前記レシートに対し前記第ｎ記号の画像を形成するように、前記制御部が前記作成部を制御する、請求項７に記載の処理装置。
【請求項９】
前記レシートを作成することを示す指示を受け付ける入力部をさらに備え、
前記第ｎ購入者が前記現在購入者と同一の人物であると前記第２判定部が判定すると共に、前記第３判定部が前記第ｎ購入者に対する前記レシートを作成しない旨の判定をした場合で、前記入力部が前記第ｎ購入者に対する前記レシートを作成することを示す指示を受け付けると、前記作成部が前記第ｎ購入者に対する前記レシートを作成するように、前記制御部が前記作成部を制御する、請求項５から請求項８のいずれか１項に記載の処理装置。
【請求項１０】
前記記号を出力することを示す指示を受け付ける入力部をさらに備え、
前記第ｎ購入者が前記現在購入者と同一の人物であると前記第２判定部が判定した場合で、前記入力部が前記第ｎ記号を出力することを示す指示を受け付けると、前記作成部が前記第ｎ記号を出力するように、前記制御部が前記作成部を制御する、請求項７又は請求項８に記載の処理装置。
【請求項１１】
請求項８又は請求項１０に記載の処理装置と、画像形成装置とを備え、
前記画像形成装置は、
前記第ｎ記号を読み取る読取部と、
シートに画像を形成する画像形成部と、
前記画像形成部を制御する制御装置と
を有し、
前記複数の過去購入者には、それぞれ、複数の購入履歴が対応付けられ、
前記複数の購入履歴は、第１購入履歴〜第Ｎ購入履歴を含み、
前記第ｎ購入者には、第ｎ購入履歴が対応付けられ、
前記第ｎ購入履歴は、前記処理装置が設置されている店舗で前記第ｎ購入者が過去に購入した商品の履歴を示し、
前記読取部が前記第ｎ記号を読み取ると、前記画像形成部が前記第ｎ購入履歴を示す画像を前記シートに形成するように、前記制御装置が前記画像形成部を制御する、画像形成システム。
【発明の詳細な説明】
【技術分野】
【０００１】
本発明は、処理装置、及び画像形成システムに関する。
【背景技術】
【０００２】
特許文献１に記載のシステムは、プリンターと、タッチパネルと、入力ユニットと、出力ユニットとを含む。プリンターは、ユーザーの支払い内容を含むレシート情報を用紙に印刷する。タッチパネルは、レシート情報の印刷の可否を選択するボタンが表示される。入力ユニットは、ユーザーからのデータ入力を受け付ける。ボタンによりレシート情報の印刷の要否が選択されたときに、送信先アドレスが入力されていれば、出力ユニットは送信先アドレスにレシート情報を送信する。
【先行技術文献】
【特許文献】
【０００３】
【特許文献１】ＷＯ２０１２／０５３２１７号公報
【発明の概要】
【発明が解決しようとする課題】
【０００４】
しかし、特許文献１に記載のシステムによれば、顧客（現在購入者）は、商品を購入する際、レシートを作成するか否かを判断しなければならなかった。そして、顧客は、ボタンを操作してレシートの要否を示す情報を入力する作業を行う必要があった。従って、顧客にとって煩わしかった。
【０００５】
本発明は、現在購入者の判断を要することなく、現在購入者に対するレシートを作成するか否かを判定することができる処理装置、及び画像形成システムを提供する。
【課題を解決するための手段】
【０００６】
本発明の一局面によれば、処理装置は、作成部と、撮像部と、記憶部と、第１判定部と、第２判定部と、第３判定部と、制御部とを備える。作成部は、レシートを作成する。撮像部は、前記レシートの受領場所を撮像する。記憶部は、複数の過去購入者の各々が過去に前記レシートの受領場所で前記レシートを取得したか否かの履歴を示す履歴情報を記憶する。第１判定部は、前記撮像部が撮像している人物の画像に基づいて、前記人物が現在購入者であるか否かを判定する。第２判定部は、前記人物が前記現在購入者であると前記第１判定部が判定すると、前記複数の過去購入者に前記現在購入者と同一の人物が含まれているか否かを判定する。第３判定部は、前記第２判定部の判定結果と、前記履歴情報とに基づいて、前記現在購入者に対する前記レシートを作成するか否かを判定する。制御部は、前記作成部を制御する。前記複数の過去購入者の各々は、過去に前記レシートの受領場所で商品を購入したことがある者を示す。前記現在購入者は、現在、前記レシートの受領場所で商品を購入している者を示す。
【０００７】
本発明の他の一局面によれば、画像形成システムは、上記処理装置と、画像形成装置とを備える。画像形成装置は、読取部と、画像形成部と、制御装置とを有する。読取部は、前記第ｎ記号を読み取る。画像形成部は、シートに画像を形成する。制御装置は、前記画像形成部を制御する。前記複数の過去購入者には、それぞれ、複数の購入履歴が対応付けられる。前記複数の購入履歴は、第１購入履歴〜第Ｎ購入履歴を含む。前記第ｎ購入者には、第ｎ購入履歴が対応付けられる。前記第ｎ購入履歴は、前記処理装置が設置されている店舗で前記第ｎ購入者が過去に購入した商品の履歴を示す。前記読取部が前記第ｎ記号を読み取ると、前記画像形成部が前記第ｎ購入履歴を示す画像を前記シートに形成するように、前記制御装置が前記画像形成部を制御する。
【発明の効果】
【０００８】
本発明によれば、現在購入者の判断を要することなく、現在購入者に対するレシートを作成するか否かを判定することができる。
【図面の簡単な説明】
【０００９】
【図１】画像形成システムが設置される店舗を示す図である。
【図２】本発明の実施形態に係る画像形成システムを示すブロック図である。
【図３】履歴情報を示す図である。
【図４】制御装置の動作を示す第１のフロー図である。
【図５】制御装置の動作を示す第２のフロー図である。
【図６】制御装置の動作を示す第３のフロー図である。
【図７】制御装置の動作を示す第４のフロー図である。
【図８】（ａ）は、ＱＲコード（登録商標）無しのレシートを示す図である。（ｂ）は、ＱＲコード付きのレシートを示す図である。（ｃ）は、ＱＲコードの画像が形成されたレシート用のシートを示す図である。
【図９】画像形成装置の模式的断面図である。
【図１０】制御装置の動作を示すフロー図である。
【図１１】（ａ）は、クーポン付きのレシートを示す図である。（ｂ）は、クーポン付き、かつ、ＱＲコード付きのレシートを示す図である。（ｃ）は、クーポンと画像が形成されたクーポンシートを示す図である。（ｄ）は、クーポンの画像とＱＲコードの画像とが形成された複合シートを示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１を参照して、本発明の実施形態に係る画像形成システムＸについて説明する。図１は、画像形成システムＸが設置される店舗Ｚを示す図である。
【００１２】
図１に示すように、店舗Ｚには、カウンターＺ１と、レジＺ２と、廃棄部Ｚ３とが設置される。カウンターＺ１には、レジＺ２及び廃棄部Ｚ３が載置される。廃棄部Ｚ３は、例えば、ごみ箱である。廃棄部Ｚ３には、レシートが捨てられる。
【００１３】
店舗Ｚには、カウンターＺ１を挟んで、店員Ｚ４と客Ｚ５とが存在している。
【００１４】
画像形成システムＸは、処理装置１００と、画像形成装置２００と、第１交換部品を備える。処理装置１００と、画像形成装置２００との各々は、店舗Ｚに設置される。
【００１５】
処理装置１００は、作成部１０と、撮像部２０と、入力部３０とを備える。
【００１６】
作成部１０は、レシートを作成する。レシートには、例えば、購入情報が記載される。購入情報は、店舗Ｚで購入された商品の名称又は略称を示す情報と、商品の購入代金を示す情報と、商品の購入日を示す情報とを含む。商品には、食品のような物、及び、郵便配達のようなサービスが含まれる。作成部１０は、レジＺ２に設置される。作成部１０は、例えば、印字ヘッドを有し、印字ヘッドによりレシート用のシートを加熱して、レシートを作成する。レシート用のシートは、例えば、感熱紙である。
【００１７】
作成部１０がレシートを作成すると、店員Ｚ４は作成部１０からレシートを取得し、客Ｚ５にレシートを渡す。客Ｚ５は、例えば、レシートが不要な場合、店員Ｚ４から受領したレシートを廃棄部Ｚ３に捨てる。
【００１８】
撮像部２０は、例えば、レンズとイメージセンサーとを有する。レンズは、撮像部２０の外部から入射する光を集光し、イメージセンサーの撮像面に結像させる。イメージセンサーは、例えば、ＣＣＤ（Ｃｈａｒｇｅｄ  Ｃｏｕｐｌｅｄ  Ｄｅｖｉｃｅ）、又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）のような固定撮像素子で構成される。イメージセンサーは、撮像面に結像した光学像を電気信号に変換して、画像データを生成する。
【００１９】
撮像部２０は、レシートの受領場所Ｗを撮像可能な場所に設置される。従って、撮像部２０は、レシートの受領場所Ｗを撮像する。レシートの受領場所Ｗは、例えば、レジＺ２の設置場所を示す。さらに、撮像部２０は、廃棄部Ｚ３を撮像可能な場所に設置される。従って、撮像部２０は、廃棄部Ｚ３を撮像する。
【００２０】
撮像部２０は、第１撮像部２１と、第２撮像部２２とを含む。第１撮像部２１は、店員Ｚ４の背後に設置される。第１撮像部２１は、レシートの受領場所Ｗ、及び廃棄部Ｚ３を撮像する。第２撮像部２２は、レシートの受領場所Ｗに設置される。また、第２撮像部２２は、レジＺ２に設置されると共に、客Ｚ５側を撮像するように設置される。第２撮像部２２は、レシートの受領場所Ｗに位置する客Ｚ５を撮像する。なお、第２撮像部２２を設置せず、第１撮像部２１のみで、レシートの受領場所Ｗと、廃棄部Ｚ３と、レシートの受領場所Ｗに位置する客Ｚ５とを撮像してもよい。しかし、第２撮像部２２を設置する方が、レシートの受領場所Ｗに位置する客Ｚ５をより精度よく撮像することができる点で有利である。また、第２撮像部２２を設置することで、客Ｚ５が帽子をかぶっていても、客Ｚ５の顔を第２撮像部２２により効果的に撮像することができる点で有利である。
【００２１】
入力部３０は、レシートを作成することを示す指示を受け付ける。入力部３０は、レシートの受領場所Ｗに設置される。客Ｚ５は、入力部３０を介して、作成部１０に対しレシートを作成するように指示することができる。入力部３０は、例えば、タッチパネルである。客Ｚ５は、例えば、タッチパネルに表示されるボタンの画像をタッチ操作することで、作成部１０にレシートを作成させることができる。また、入力部３０は、ＱＲコードを出力することを示す指示を受け付ける。ＱＲコードについては後述する。
【００２２】
次に、図２を参照して、処理装置１００について説明する。図２は、画像形成システムＸを示すブロック図である。
【００２３】
図２に示すように、処理装置１００は、情報読取部４０と、記憶部５０と、通信部６０と、制御装置７０とをさらに備える。
【００２４】
情報読取部４０は、購入情報を読み取る。情報読取部４０は、例えば、バーコードリーダーである。情報読取部４０は、例えば、商品に添付されたバーコードを走査して、購入情報を読み取る。店員Ｚ４は、情報読取部４０を操作して客Ｚ５が購入した商品のバーコードを走査する。その結果、作成部１０がレシートを作成することができる。
【００２５】
記憶部５０は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ、及び不揮発性メモリー）をさらに含んでもよい。主記憶装置及び／又は補助記憶装置は、制御装置７０によって実行される種々のコンピュータープログラムを記憶する。
【００２６】
通信部６０は、制御装置７０と画像形成装置２００との間で情報の送受信を行う。通信部６０は、例えば、同じ通信方式（プロトコル）を利用する通信機が搭載された電子機器との間で通信が可能である。第１実施形態において、通信部６０は、ＬＡＮ（Ｌｏｃａｌ  Ａｒｅａ  Ｎｅｔｗｏｒｋ）などのネットワーク網Ｎを介して画像形成装置２００と通信する。通信部６０は、例えば、ＬＡＮボードのような通信モジュール（通信機器）である。
【００２７】
制御装置７０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置７０は、処理装置１００の各要素を制御する。具体的には、制御装置７０のプロセッサーは、記憶装置に記憶されたコンピュータープログラムを実行することにより、作成部１０と、撮像部２０と、入力部３０と、情報読取部４０と、記憶部５０と、通信部６０とを制御する。
【００２８】
制御装置７０は、第１判定部７１と、第２判定部７２と、第３判定部７３と、第４判定部７４と、制御部７５とを有する。具体的には、制御装置７０のプロセッサーが、記憶装置に記憶されたコンピュータープログラムを実行することにより、第１判定部７１と、第２判定部７２と、第３判定部７３と、第４判定部７４と、制御部７５として機能する。
【００２９】
記憶部５０は、履歴情報αを記憶する。
【００３０】
次に、図３を参照して、履歴情報αについて説明する。図３は、履歴情報αを示す図である。
【００３１】
図３に示すように、履歴情報αは、複数の過去購入者の各々が過去にレシートの受領場所Ｗでレシートを取得したか否かを示す情報である。複数の過去購入者の各々は、過去にレシートの受領場所Ｗで商品を購入したことがある者を示す。詳細には、過去購入者の各々は、過去にレシートの受領場所Ｗで商品を購入する際に、撮像部２０により撮像されたことがある者を示す。
【００３２】
履歴情報αにおいて、複数の過去購入者には、それぞれ、複数の受領情報が対応付けられる。また、履歴情報αにおいて、複数の過去購入者には、それぞれ、複数の購入履歴が対応付けられる。また、履歴情報αにおいて、複数の過去購入者には、それぞれ、複数のＱＲコードが対応付けられる。
【００３３】
履歴情報αは、対応情報βを含む。対応情報βは、過去購入者毎に設定される。複数の対応情報βは、第１対応情報β１〜第Ｎ対応情報βＮを含む。Ｎは２以上の整数である。複数の過去購入者は、第１購入者〜第Ｎ購入者を含む。
【００３４】
第１対応情報β１〜第Ｎ対応情報βＮのうちのいずれかを、第ｎ対応情報βｎと記載する。ｎは１以上Ｎ以下の整数である。また、ｎは１以上Ｎ以下の変数である。
【００３５】
第ｎ対応情報βｎは、第ｎ購入者と、第ｎ購入者の受領情報と、第ｎ購入者の購入履歴と、第ｎ購入者のＱＲコードＱｎとを対応付けた情報を示す。第ｎ対応情報βｎは、第ｎ購入者を特定するための特定情報と、第ｎ購入者の受領情報と、第ｎ購入者の購入履歴と、第ｎ購入者のＱＲコードＱｎを示す情報とを含む。従って、複数の過去購入者の各々に対し、特定情報と、ＱＲコードとが設定される。また、複数の過去購入者の各々の受領情報と、複数の過去購入者の各々の購入履歴とが記憶部５０に記憶される。
【００３６】
第ｎ購入者を特定するための特定情報は、例えば、第ｎ購入者の顔の特徴パラメーターを示す情報を含む。第ｎ購入者が過去にレシートの受領場所Ｗで商品の購入代金を支払った際に、撮像部２０が第ｎ購入者を撮像することで、第ｎ購入者の顔の画像に基づいて第ｎ購入者の顔の特徴パラメーターが取得される。
【００３７】
第ｎ購入者の受領情報は、複数又は単数の第ｎ情報γｎを含む。
【００３８】
第１購入者の受領情報は、複数又は単数の第１情報γ１を含む（ｎ＝１）。第２購入者の受領情報は、複数又は単数の第２情報γ２を含む（ｎ＝２）。第Ｎ購入者の受領情報は、複数又は単数の第Ｎ情報γＮを含む（ｎ＝Ｎ）。
【００３９】
第ｎ情報γｎは、取得情報と、購入日情報とを含む。第ｎ情報γｎが複数の場合、複数の第ｎ情報γｎの各々は、取得情報と、購入日情報とを含む。
【００４０】
取得情報は、第ｎ購入者に対するレシートが作成されたか否かを示すと共に、レシートが作成された場合は第ｎ購入者がレシートを受領したか否かを示す。
【００４１】
図３に示す取得情報において、「受領した」の記載は、レシートが作成され、かつ、受領されたことを示す。「受領しなかった」の記載は、レシートが作成されたが、受領されなかったことを示す。「作成されなかった」の記載は、レシートが作成されなかったことを示す。
【００４２】
購入日情報は、取得情報に示す動作を第ｎ購入者が行った日を示す。詳細には、購入日情報は、取得情報に示す動作を第ｎ購入者が行い、商品を購入した日を示す。なお、購入日情報は、取得情報に示す動作を第ｎ購入者が行った時刻を示す情報を、さらに有していてもよい。
【００４３】
第ｎ情報γｎは、第ｎ購入者による商品の購入日毎に存在する。なお、商品の購入代金の支払い方法には、現金による支払いのみならず、電子マネーによる支払い、及びクレジットカードによる支払いも含まれる。
【００４４】
第ｎ購入者の購入履歴は、店舗Ｚで第ｎ購入者が過去に購入した商品の履歴を示す。第ｎ購入者の購入履歴は、第ｎ購入者が過去に購入した商品毎に、商品の購入代金と、商品の購入日とを対応付けた情報を示す。
【００４５】
第ｎ購入者のＱＲコードＱｎは、本発明の第ｎ記号の一例である。ＱＲコードＱｎは、第ｎ購入者を特定するための記号を示す。なお、第ｎ記号として、ＱＲコードＱｎに代えて、例えば、バーコード、数字、文字、及び／又は、図形を用いてもよい。
【００４６】
以上、図３を参照して説明したように、記憶部５０は、履歴情報αを記憶する。従って、複数の購入者（第１購入者〜第Ｎ購入者）の各々に対し、受領情報に基づいてレシートを作成するか否かを判定することが可能になる。
【００４７】
また、第１購入者〜第Ｎ購入者を、それぞれ、ＱＲコードＱ１〜ＱＲコードＱＮで特定し、第１購入者〜第Ｎ購入者の各々に対し、購入履歴を出力することが可能になる。
【００４８】
次に、図４から図８（ｃ）を参照して、制御装置７０の動作について説明する。図４は、制御装置７０の動作を示す第１のフロー図である。図５は、制御装置７０の動作を示す第２のフロー図である。図６は、制御装置７０の動作を示す第３のフロー図である。図７は、制御装置７０の動作を示す第４のフロー図である。図８（ａ）は、ＱＲコード無しのレシートを示す図である。図８（ｂ）は、ＱＲコード付きのレシートを示す図である。図８（ｃ）は、ＱＲコードの画像が形成されたレシート用のシートを示す図である。
【００４９】
図４に示すように、ステップＳ１０において、撮像部２０は、人物を撮像する。本実施形態では、撮像部２０は、客Ｚ５を撮像する（図１参照）。
【００５０】
ステップＳ２０において、第１判定部７１は、撮像部２０から撮像部２０の撮像した画像データを取得する。そして、第１判定部７１は、撮像部２０から取得した画像データに対し人物認識処理を実行し、撮像人物の画像を取得する。撮像人物は、撮像部２０が現在撮像している人物を示す。そして、第１判定部７１は、撮像人物の画像に基づいて、撮像人物が現在購入者であるか否かを判定する。現在購入者は、現在、レシートの受領場所Ｗで商品を購入している者を示す。
【００５１】
第１判定部７１は、例えば、商品の購入代金を支払う手を示す画像のパターンマッチングによって、撮像人物が商品の購入代金を支払っている動作を行っているか否かを算出する。第１判定部７１は、撮像人物が商品の購入代金を支払っている動作を行っていることを算出すると、撮像人物が現在購入者であると判定する。撮像人物が現在購入者であると判定された場合（ステップＳ２０で、Ｙｅｓ）、処理がステップＳ３０に移行する。第１判定部７１は、撮像人物が商品の購入代金を支払っている動作を行っていないことを算出すると、撮像人物が現在購入者ではないと判定する。撮像人物が現在購入者であると判定されない場合（ステップＳ２０で、Ｎｏ）、処理がステップＳ１０に移行する。
【００５２】
ステップＳ３０において、第２判定部７２は、複数の過去購入者に現在購入者と同一の人物が含まれているか否かを判定する。第２判定部７２は、撮像人物の画像と、第ｎ購入者を特定するための特定情報とに基づいて、複数の過去購入者に現在購入者と同一の人物が含まれているか否かを判定する。
【００５３】
第２判定部７２は、現在購入者の画像に基づいて、例えば、現在購入者の目、鼻、及び口の相互の位置関係、並びに、現在購入者の輪郭を現在購入者の顔の特徴パラメーターとして抽出する。そして、第２判定部７２は、現在購入者の顔の特徴パラメーターと、第ｎ購入者の顔の特徴パラメーターとをパターンマッチングにより照合する。その結果、複数の過去購入者に現在購入者と同一の人物が含まれているか否かが判定される。
【００５４】
複数の過去購入者に現在購入者と同一の人物が含まれていると判定されると（ステップＳ３０で、Ｙｅｓ）、処理がステップＳ４０に移行する。複数の過去購入者に現在購入者と同一の人物が含まれていないと判定されると（ステップＳ３０で、Ｎｏ）、処理がステップＳ２１０に移行する。
【００５５】
ステップＳ４０〜ステップＳ６０において、第３判定部７３は、第２判定部７２の判定結果と、履歴情報αとに基づいて、現在購入者に対するレシートを作成するか否かを判定する。現在購入者に対するレシートは、現在購入者が現在購入している商品の購入情報が記載されるレシートを示す。
【００５６】
本実施形態では、第ｎ購入者が現在購入者と同一の人物であると第２判定部７２が判定する。この場合、第３判定部７３は、第ｎ対応情報βｎに基づいて、現在購入者である第ｎ購入者に対するレシートを作成するか否かを判定する。
【００５７】
ステップＳ４０において、第３判定部７３は、第ｎ対応情報βｎの受領情報に基づいて、第ｎ購入者が直近にレシートを取得したか否かを算出する。第ｎ購入者がレシートを取得することは、レシートが作成され、第ｎ購入者がレシートを受領したことを示す。第ｎ購入者がレシートを取得しないことは、レシートが作成されなかったこと、又は、レシートが作成されたが、第ｎ購入者がレシートを受領しなかったことを示す。直近は、現在に対する直近の過去を示す。
【００５８】
第ｎ購入者が直近にレシートを取得したと算出された場合（ステップＳ４０で、Ｙｅｓ）、処理がステップＳ５０に移行する。第ｎ購入者が直近にレシートを取得しなかったと算出された場合（ステップＳ４０で、Ｎｏ）、処理がステップＳ６０に移行する。
【００５９】
ステップＳ５０において、第３判定部７３は、第ｎ購入者に対するレシートを作成する旨の判定をする。
【００６０】
ステップＳ６０において、第３判定部７３は、第ｎ購入者に対するレシートを作成しない旨の判定をする。
【００６１】
図５に示すように、ステップＳ７０において、制御部７５は、所定のタイミングが到来しているか否かを判定する。所定のタイミングは、例えば、第ｎ購入者が、一般に、購入履歴を確認したくなるタイミングを示す。所定のタイミングは、例えば、月末のタイミング、前回の所定のタイミングが到来してから所定期間以上経過したタイミング、又は、第ｎ購入者が店舗Ｚで商品の購入を所定回数行う毎のタイミングを示す。所定のタイミングを示す情報は、予め記憶部５０に記憶される。
【００６２】
所定のタイミングが到来していると判定されると（ステップＳ７０で、Ｙｅｓ）、処理がステップＳ８０に移行する。所定のタイミングが到来していないと判定されると（ステップＳ７０で、Ｎｏ）、処理がステップＳ１１０に移行する。
【００６３】
ステップＳ８０において、作成部１０がＱＲコードＱｎ付きの第ｎ購入者に対するレシート（図８（ｂ）参照）を作成するように、制御部７５が作成部１０を制御する。以下では、ＱＲコードＱｎ付きの第ｎ購入者に対するレシートを、第１レシートと記載する。第１レシートが作成されると、第１レシートは第ｎ購入者に渡される。
【００６４】
ステップＳ９０において、第４判定部７４は、撮像部２０が撮像している第ｎ購入者の画像に基づいて、第ｎ購入者が第１レシートを受領したか否かを判定する。第４判定部７４は、例えば、レシートの画像のパターンマッチングによって第１レシートの動きを算出する。そして、第４判定部７４は、第１レシートが廃棄部Ｚ３（図１参照）に到達したことを算出すると、第ｎ購入者が第１レシートを受領しなかったと判定する。これに対し、第４判定部７４は、第１レシートが廃棄部Ｚ３に到達しなかったことを算出すると、第ｎ購入者が第１レシートを受領したと判定する。
【００６５】
ステップＳ１００において、制御部７５は、第ｎ対応情報βｎを更新する。詳細には、制御部７５は、第ｎ購入者の最新の受領情報（図３参照）を作成して、第ｎ対応情報βｎの受領情報に追加する。さらに、制御部７５は、第ｎ対応情報βｎの購入履歴に、第ｎ購入者の最新の購入情報を追加する。その結果、処理が終了する。
【００６６】
なお、ステップＳ９０において、第１レシートが受領された場合、最新の受領情報の取得情報（図３参照）において、「受領した」と規定される。また、ステップＳ９０において、第１レシートが受領されなかった場合、最新の受領情報の取得情報において、「受領しなかった」と規定される。
【００６７】
ステップＳ１１０において、ＱＲコードＱｎを出力することを示す指示を入力部３０（図１参照）が受け付けたか否かを、制御部７５が判定する。
【００６８】
ＱＲコードＱｎを出力することを示す指示を入力部３０が受け付けたと判定されると（ステップＳ１１０で、Ｙｅｓ）、処理がステップＳ８０に移行する。本実施形態では、入力部３０であるタッチパネルにＱＲコード出力用のボタンが表示され、第ｎ購入者がＱＲコード出力用のボタンをタッチ操作すると、処理がステップＳ８０に移行する。
【００６９】
これに対し、ＱＲコードＱｎを出力することを示す指示を入力部３０が受け付けていないと判定されると（ステップＳ１１０で、Ｎｏ）、処理がステップＳ１２０に移行する。本実施形態では、ＱＲコード出力用のボタンを、第ｎ購入者がタッチ操作しないと、処理がステップＳ１２０に移行する。
【００７０】
ステップＳ１２０において、作成部１０がＱＲコードＱｎ無しの第ｎ購入者に対するレシート（図８（ａ）参照）を作成するように、制御部７５が作成部１０を制御する。以下では、ＱＲコードＱｎ無しの第ｎ購入者に対するレシートを、第２レシートと記載する。第２レシートが作成されると、第２レシートは第ｎ購入者に渡される。
【００７１】
ステップＳ１３０において、第４判定部７４は、撮像部２０が撮像している第ｎ購入者の画像に基づいて、第ｎ購入者が第２レシートを受領したか否かを判定する。
【００７２】
ステップＳ１４０において、制御部７５は、第ｎ対応情報βｎを更新する。その結果、処理が終了する。
【００７３】
なお、ステップＳ１３０において、第２レシートが受領された場合、最新の受領情報の取得情報（図３参照）において、「受領した」と規定される。また、ステップＳ１３０において、第２レシートが受領されなかった場合、最新の受領情報の取得情報において、「受領しなかった」と規定される。
【００７４】
図４及び図６に示すように、ステップＳ６０の処理が終了すると、ステップＳ１５０に移行する。
【００７５】
図６に示すように、ステップＳ１５０において、第ｎ購入者に対するレシート（図８（ｂ）参照）を作成することを示す指示を入力部３０（図１参照）が受け付けたか否かを、制御部７５が判定する。
【００７６】
第ｎ購入者に対するレシートを作成することを示す指示を入力部３０が受け付けたと判定されると（ステップＳ１５０で、Ｙｅｓ）、処理がステップＳ１１０（図５参照）に移行する。本実施形態では、入力部３０であるタッチパネルにレシート作成用のボタンが表示され、第ｎ購入者がレシート作成用のボタンをタッチ操作すると、処理がステップＳ１１０に移行する。
【００７７】
これに対し、第ｎ購入者に対するレシートを作成することを示す指示を入力部３０が受け付けていないと判定されると（ステップＳ１５０で、Ｎｏ）、処理がステップＳ１６０に移行する。本実施形態では、レシート作成用のボタンを、第ｎ購入者がタッチ操作しないと、処理がステップＳ１６０に移行する。
【００７８】
ステップＳ１６０において、ＱＲコードＱｎを出力することを示す指示を入力部３０（図１参照）が受け付けたか否かを、制御部７５が判定する。ＱＲコードＱｎを出力することを示す指示を入力部３０が受け付けたと判定されると（ステップＳ１６０で、Ｙｅｓ）、処理がステップＳ１７０に移行する。ＱＲコードＱｎを出力することを示す指示を入力部３０が受け付けていないと判定されると（ステップＳ１６０で、Ｎｏ）、処理がステップＳ１９０に移行する。
【００７９】
ステップＳ１７０において、作成部１０がＱＲコードＱｎを出力するように、制御部７５が作成部１０を制御する。ＱＲコードＱｎを出力するとは、シートにＱＲコードＱｎの画像を形成することを示す。本実施形態では、作成部１０は、ＱＲコードＱｎの画像をレシート用のシートに形成する（図８（ｃ）参照）。ＱＲコードＱｎの画像が形成されたレシート用のシートを、ＱＲシートと記載する。ＱＲシートが作成されると、ＱＲシートは第ｎ購入者に渡される。なお、この場合、作成部１０は、第１レシート、及び第２レシートを作成せず、ＱＲシートを作成する。
【００８０】
ステップＳ１８０において、制御部７５は、第ｎ対応情報βｎを更新する。その結果、処理が終了する。なお、第ｎ購入者がＱＲシートを受領したか否かに関係なく、最新の受領情報の取得情報（図３参照）において、「作成されなかった」と規定される。
【００８１】
ステップＳ１９０において、作成部１０は、ＱＲコードＱｎを出力しない。ない、この場合、作成部１０は、第１レシート、第２レシート、及びＱＲシートを作成しない。従って、レシート用のシートが消費されない。その結果、レシート用のシートが無駄に消費されることを抑制できる。
【００８２】
ステップＳ２００において、制御部７５は、第ｎ対応情報βｎを更新する。その結果、処理が終了する。この場合、最新の受領情報の取得情報（図３参照）において、「作成されなかった」と規定される。
【００８３】
図４、及び図７に示すように、ステップＳ３０で、Ｎｏの場合、処理がステップＳ２１０に移行する。
【００８４】
図７に示すように、ステップＳ２１０において、第３判定部７３は、現在購入者に対するレシートを作成する旨の判定をする。以下では、現在購入者に対するレシートを、第３レシートと記載する。なお、第３レシートは、ＱＲコード無しのレシートである。
【００８５】
ステップＳ２２０において、作成部１０が第３レシート（図８（ａ）参照）を作成するように、制御部７５が作成部１０を制御する。第３レシートが作成されると、第３レシートは現在購入者に渡される。
【００８６】
ステップＳ２３０において、第４判定部７４は、撮像部２０が撮像している現在購入者の画像に基づいて、現在購入者が第３レシートを受領したか否かを判定する。
【００８７】
ステップＳ２４０において、制御部７５は、現在購入者の対応情報βを作成する。そして、制御部７５は、現在購入者の対応情報βを履歴情報α（図３参照）に追加する。本実施形態では、制御部７５は、現在購入者を第（Ｎ＋１）購入者とし、第（Ｎ＋１）購入者の対応情報βである第（Ｎ＋１）対応情報β（Ｎ＋１）を履歴情報αに追加する。制御部７５は、第（Ｎ＋１）対応情報β（Ｎ＋１）を作成する際、第（Ｎ＋１）購入者のＱＲコードＱ（ｎ＋１）を示す情報を作成する。その結果、処理が終了する。
【００８８】
なお、ステップＳ２３０において、第３レシートが受領された場合、第（Ｎ＋１）購入者の受領情報の取得情報（図３参照）において、「受領した」と規定される。また、ステップＳ２３０において、第３レシートが受領されなかった場合、第（Ｎ＋１）購入者の受領情報の取得情報において、「受領しなかった」と規定される。
【００８９】
以上、図４から図７を参照して説明したように、ステップＳ４０からステップＳ６０（図４参照）において、第３判定部７３は、第２判定部７２の判定結果と、履歴情報αとに基づいて、現在購入者である第ｎ購入者に対するレシートを作成するか否かを判定する。従って、第ｎ購入者の判断を要することなく、第ｎ購入者に対するレシートを作成するか否かを判定することができる。
【００９０】
また、ステップＳ４０からステップＳ６０（図４参照）に示すように、第ｎ購入者が直近にレシートを取得したことを、第ｎ対応情報βｎの受領情報（図３参照）が示す場合、第３判定部７３は、第ｎ購入者に対するレシートを作成する旨の判定をする。つまり、第ｎ購入者の直近の取得情報が「受領した」の場合、第３判定部７３は、第ｎ購入者に対するレシートを作成する旨の判定をする。これに対し、第ｎ購入者が直近にレシートを取得しなかったことを、第ｎ対応情報βｎの受領情報が示す場合、第３判定部７３は、第ｎ購入者に対するレシートを作成しない旨の判定をする。つまり、第ｎ購入者の直近の取得情報が「受領しなかった」、又は「作成されなかった」の場合、第３判定部７３は、第ｎ購入者に対するレシートを作成しない旨の判定をする。従って、第３判定部７３は、第ｎ購入者の直近の受領情報を反映させて、第ｎ購入者に対するレシートを作成するか否かを判定することができる。
【００９１】
また、ステップＳ７０、及びステップＳ８０（図５参照）に示すように、第ｎ購入者に対するレシートを作成する際、所定のタイミングが到来していると、レシートに対しＱＲコードＱｎの画像を形成するように、制御部７５が作成部１０を制御する。従って、第ｎ購入者が購入履歴を確認したくなるタイミングで、作成部１０がＱＲコードＱｎ付きのレシートを作成することが可能になる。
【００９２】
また、ステップＳ１１０（図５参照）、及びステップＳ１６０（図６参照）に示すように、ＱＲコードＱｎを出力することを示す指示を入力部３０が受け付けると、作成部１０がＱＲコードＱｎを出力する。従って、第ｎ購入者が希望するとＱＲコードＱｎを出力することが可能になる。その結果、画像形成システムＸは、第ｎ購入者のニーズに合わせて対応することが可能になる。
【００９３】
また、ステップＳ１５０（図６参照）に示すように、第ｎ購入者に対するレシートを作成することを示す指示を入力部３０が受け付けると、作成部１０が第ｎ購入者に対するレシートを作成する。従って、第３判定部７３によりレシートを作成しないと判定された場合でも、第ｎ購入者が希望するとレシートを作成することが可能になる。その結果、画像形成システムＸは、第ｎ購入者のニーズに合わせて対応することが可能になる。
【００９４】
また、ステップＳ１００、ステップＳ１４０（図５参照）、ステップＳ１８０、及びステップＳ２００（図６参照）に示すように、第ｎ購入者が店舗Ｚで商品を購入すると、制御部７５は、第ｎ対応情報βｎを更新する。従って、第３判定部７３は、最新の第ｎ対応情報βｎに基づいて、第ｎ購入者に対するレシートを作成するか否かを判定することができる。
【００９５】
また、ステップＳ３０（図４参照）、及びステップＳ２１０〜ステップＳ２４０（図７参照）に示すように、複数の過去購入者に現在購入者と同一の人物が含まれていない場合、作成部１０は、現在購入者である第（Ｎ＋１）購入者に対するレシートを作成する。また、制御部７５は、第（Ｎ＋１）購入者の第（Ｎ＋１）対応情報β（Ｎ＋１）を作成し、履歴情報αに追加する。従って、第（Ｎ＋１）購入者が次回に店舗Ｚで商品を購入する際、第３判定部７３は、履歴情報αに基づいて、第（Ｎ＋１）購入者に対するレシートを作成するか否かを判定することができる。
【００９６】
次に、図９を参照して、画像形成装置２００について説明する。図９は、画像形成装置２００の模式的断面図である。
【００９７】
図９に示すように、画像形成装置２００は、搬送部１と、入力部２と、読取部３と、カセット４と、給送ローラー５ａと、搬送ローラー５ｂと、排出ローラー５ｃと、画像形成部６と、記憶装置７と、制御装置９とを備える。
【００９８】
搬送部１は、読み取り対象の画像が形成されたシートを、読取部３に向けて搬送する。読取部３は、シートを走査して、画像データを取得する。読取部３は、例えば、ＬＥＤ（Ｌｉｇｈｔ  Ｅｍｉｔｔｉｎｇ  Ｄｉｏｄｅ）のような発光部と、イメージセンサーのような画像撮像部とを含む。発光部、及び画像撮像部によって、シートに形成された画像が走査される。入力部２は、表示部２ａと、操作キー群２ｂとを含む。入力部２は、画像形成装置２００に対するユーザーからの指示を受け付ける。表示部２ａは、タッチパネルとして機能する。この場合、入力部２は、タッチパネルを含む。
【００９９】
カセット４は、シートＴを収容する。給送ローラー５ａは、カセット４内のシートＴを送出する。搬送ローラー５ｂは、給送ローラー５ａから搬送されたシートＴを、画像形成部６に向けて送出する。
【０１００】
画像形成部６は、シートＴに画像を形成する。画像は、具体的には、トナー画像を示す。画像形成部６は、感光体ドラムと、帯電部と、露光部と、現像部と、転写部と、クリーニング部と、除電部とを含む。感光体ドラム、帯電部、露光部、現像部、及び転写部によって、シートＴに画像が形成される。クリーニング部は、感光体ドラムの表面に残留しているトナーを除去する。除電部は、感光体ドラムの表面の残留電荷を除去する。画像形成部６は、シートＴに画像を形成した後、シートＴを定着部に向けて送出する。定着部は、画像を加熱及び加圧してシートＴに定着させる。なお、画像形成部６は、ノズルを有し、ノズルからインクを吐出して、シートＴに画像を形成してもよい。
【０１０１】
排出ローラー５ｃは、画像形成部６を通過したシートＴを、画像形成装置２００の筐体の外部へ排出する。
【０１０２】
記憶装置７は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ、及び不揮発性メモリー）をさらに含んでもよい。記憶装置７は、制御装置９によって実行される種々のコンピュータープログラムを記憶する。
【０１０３】
通信装置８は、ＬＡＮ（Ｌｏｃａｌ  Ａｒｅａ  Ｎｅｔｗｏｒｋ）などのネットワーク網Ｎを介して処理装置１００と通信する。通信装置８は、例えば、ＬＡＮボードのような通信モジュール（通信機器）である。
【０１０４】
制御装置９は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置９は、搬送部１と、入力部２と、読取部３と、カセット４と、給送ローラー５ａと、搬送ローラー５ｂと、画像形成部６と、排出ローラー５ｃと、記憶装置７と、通信装置８とを制御する。
【０１０５】
次に、図１０を参照して、制御装置９の動作について説明する。図１０は、制御装置９の動作を示すフロー図である。
【０１０６】
図１０に示すように、ステップＳ３００において、入力部２は、シートＴに第ｎ購入者の購入履歴を示す画像を形成するジョブを受け付ける。以下では、第ｎ購入者の購入履歴を、第ｎ購入履歴と記載する。
【０１０７】
ステップＳ３１０において、読取部３は、出力されたＱＲコードＱｎを読み取る。ＱＲコードＱｎは、本発明の第ｎ記号の一例である。出力されたＱＲコードＱｎは、シートに形成されたＱＲコードＱｎの画像を示す。本実施形態では、出力されたＱＲコードＱｎは、第１レシート（図８（ｂ）参照）に形成されたＱＲコードＱｎの画像、又は、ＱＲシート（図８（ｃ）参照）に形成されたＱＲコードＱｎの画像を示す。
【０１０８】
ステップＳ３２０において、制御装置９は、ネットワーク網Ｎを介して、処理装置１００の記憶部５０（図２参照）から、第ｎ購入履歴を示す情報を取得する。なお、第ｎ購入履歴は、図３に示す履歴情報αに含まれる。
【０１０９】
ステップＳ３３０において、画像形成部６が第ｎ購入履歴を示す画像をシートＴに形成するように、制御装置９が画像形成部６を制御する。その結果、シートＴを介して第ｎ購入履歴を確認することが可能になる。
【０１１０】
以上、図１０を参照して説明したように、読取部３が出力されたＱＲコードＱｎを読み取ると、画像形成部６が第ｎ購入履歴を示す画像をシートＴに形成するように、制御装置９が画像形成部６を制御する。従って、第ｎ購入者は、シートＴを視認して第ｎ購入履歴を確認することが可能になる。また、第ｎ購入者は、第ｎ購入者の過去の購入履歴を一括して取得することができる。
【０１１１】
以上、図面（図１〜図１０）を参照しながら本発明の実施形態について説明した。但し、本発明は、上記の実施形態に限られるものではなく、その要旨を逸脱しない範囲で種々の態様において実施することが可能である（例えば、（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１１２】
（１）本実施形態では、ステップＳ４０からステップＳ６０に示すように、第ｎ購入者が直近にレシートを取得したか否かで、第ｎ購入者に対するレシートを作成するか否かを第３判定部７３が判定する。しかし、本発明はこれに限定されない。第３判定部７３は、第ｎ購入者の過去のレシートの取得に関する履歴に基づいて、第ｎ購入者に対するレシートを作成するか否かを判定すればよい。例えば、第ｎ購入者が過去にレシートを取得していない回数が所定回数以下の場合、第３判定部７３が第ｎ購入者に対するレシートを作成する旨の判定をする。これに対し、第ｎ購入者が過去にレシートを取得していない回数が所定回数よりも多い場合、第３判定部７３が第ｎ購入者に対するレシートを作成しない旨の判定をする。
【０１１３】
（２）図１１（ａ）から図１１（ｄ）を参照して、クーポンが発行される場合の制御装置７０の動作について説明する。図１１（ａ）は、クーポン付きのレシートである第４レシートを示す図である。図１１（ｂ）は、クーポン付き、かつ、ＱＲコード付きのレシートである第５レシートを示す図である。図１１（ｃ）は、クーポンと画像が形成されたクーポンシートを示す図である。図１１（ｄ）は、クーポンの画像とＱＲコードの画像とが形成された複合シートを示す図である。
【０１１４】
図１１（ａ）から図１１（ｄ）に示すように、第ｎ購入者がレシートの受領場所Ｗ（図１参照）で商品の購入代金を支払う際、クーポンが当たっていると、第ｎ購入者の顔の画像に基づいて、制御部７５が第ｎ購入者の属性を算出する。この場合、制御部７５は、第ｎ購入者の画像に対し顔認識処理を行い、第ｎ購入者の属性を算出する。第ｎ購入者の属性は、例えば、第ｎ購入者の性別、及び／又は、第ｎ購入者の年代を示す。そして、制御部７５は、クーポンの内容が第ｎ購入者の属性に適合すると判定した場合、クーポンを出力すると判定する。これに対し、制御部７５は、クーポンの内容が第ｎ購入者の属性に適合しないと判定した場合、クーポンを出力しないと判定する。クーポンの内容は、例えば、クーポンの対象の商品を示す。
【０１１５】
クーポンが出力され、かつ、レシートが作成される場合、作成部１０が第４レシート（図１１（ａ）参照）を作成するように、制御部７５が作成部１０を制御する。クーポンが出力され、ＱＲコードが出力され、かつ、レシートが作成される場合、作成部１０が第５レシート（図１１（ｂ）参照）を作成するように、制御部７５が作成部１０を制御する。クーポンのみが出力される場合、作成部１０がクーポンシート（図１１（ｃ）参照）を作成するように、制御部７５が作成部１０を制御する。クーポンが出力され、かつ、ＱＲコードが出力される場合、作成部１０が複合シート（図１１（ｄ）参照）を作成するように、制御部７５が作成部１０を制御する。
【０１１６】
なお、クーポンの対象の商品、又は、クーポンの対象の商品と類似の商品を、第ｎ購入者が過去に購入していた場合、制御部７５はクーポンを出力すると判定してもよい。
【０１１７】
また、制御部７５がクーポンを出力しないと判定した場合でも、クーポンを出力することを示す情報が入力部３０を介して入力されると、作成部１０がクーポンを出力するように制御部７５が作成部１０を制御してもよい。この場合、入力部３０であるタッチパネルにクーポン出力用のボタンが表示され、第ｎ購入者がクーポン出力用のボタンをタッチ操作すると、クーポンが出力される。
【産業上の利用可能性】
【０１１８】
本発明は、処理装置、及び画像形成システムの分野に利用可能である。
【符号の説明】
【０１１９】
３      読取部
６      画像形成部
９      制御装置
１０    作成部
２０    撮像部
３０    入力部
５０    記憶部
７１    第１判定部
７２    第２判定部
７３    第３判定部
７５    制御部
１００  処理装置
２００  画像形成装置
β      対応情報
β１    第１対応情報
βＮ    第Ｎ対応情報
βｎ    第ｎ対応情報
Ｔ      シート
Ｗ      受領場所
α      履歴情報
β      対応情報
β１    第１対応情報
βＮ    第Ｎ対応情報
βｎ    第ｎ対応情報
【図１】
2019109678.tif 000003
【図２】
2019109678.tif 000004
【図３】
2019109678.tif 000005
【図４】
2019109678.tif 000006
【図５】
2019109678.tif 000007
【図６】
2019109678.tif 000008
【図７】
2019109678.tif 000009
【図８】
2019109678.tif 000010
【図９】
2019109678.tif 000011
【図１０】
2019109678.tif 000012
【図１１】
2019109678.tif 000013